(57)【要約】      （修正有）【課題】剛性があって連結包装されたボトル本体の破損を極めて少なくし、着脱がきわめて容易であり、外観的にも優れ、プレミアム等を収納するスペースを有するボトルネックキャリアーを提供する。【解決手段】スクリューキャップ付きボトルのスクリューキャップを覆う天板と、天板の端縁から下方に向かって延設されてスクリューキャップの側面を覆う側板と、該天板の内面から下方に向かって一定の間隔をもって延設された個々のスクリューキャップを嵌合する円形のキャップ保持部と、キャップ保持部の間に設けられそれぞれキャップ保持部の外側で一体となっている２枚の平行する補強板とからなり、キャップ保持部には、対向した位置に一対の割り込み部がそれぞれ設けられ、補強板の下端部には、補強板の間に差し込み板を差し込んで保持することができるように、差し込み部が設けられているボトルネックキャリアーである。【選択図】図１
2006321544.tif 000002
【特許請求の範囲】
【請求項１】
２本のスクリューキャップ付きボトルを連結包装するボトルネックキャリアーであって、配列された前記スクリューキャップ付きボトルのスクリューキャップを覆う天板と、該天板の端縁から下方に向かって延設されてスクリューキャップの側面を覆う側板と、前記天板の内面から下方に向かって一定の間隔をもって延設された個々の前記スクリューキャップを嵌合する円形のキャップ保持部と、該キャップ保持部の間に設けられそれぞれ前記キャップ保持部の外側で一体となっている２枚の平行する補強板とからなり、前記キャップ保持部には、対向した位置に一対の割り込み部がそれぞれ設けられ、前記補強板の下端部には、前記補強板の間に差し込み板を差し込んで保持することができるように、差し込み部が設けられていることを特徴とするボトルネックキャリアー。
【請求項２】
前記キャップ保持部の下端には、内側に向かって突出したスクリューキャップの最下部に対して嵌合する係止部が、部分的又は前円周に渡って設けられていることを特徴とする請求項１に記載のボトルネックキャリアー。
【請求項３】
前記側板の一部が側板開閉部として前記側板から分断され、前記差し込み部に差し込む差し込み板とヒンジで連結され、前記天板とも折り曲げ可能なヒンジで連結されていることを特徴とする請求項１又は２に記載のボトルネックキャリアー。
【発明の詳細な説明】
【技術分野】
【０００１】
本発明は、清涼飲料等のスクリューキャップ付きボトルを２本連結包装するために用いられるボトルネックキャリアーに関するものである。
【背景技術】
【０００２】
従来から、ボトルネックキャリアーはボトル本体を封緘する王冠、スクリューキャップ等に嵌合させて一方向に配列するボトルを保持できるようにした形態が開示されている（例えば、特許文献１参照。）。図６に一例を示すように、ボトルネックキャリアーＺは、一枚の板紙からなるブランクを折り込んで３角柱を形成し、３角柱の底辺パネルに設けられている打ち抜き孔を通して３角柱内に押し込まれたボトルネック部を残る２枚の傾斜する側壁パネルに設けられている打ち抜き孔のエッジに王冠、スクリューキャップの下部のアンダーカット部に引っかけて連結可能とするものである。従って、これら王冠、スクリューキャップの一部が３角柱の傾斜パネルから外側にはみ出す形態になっている。
【特許文献１】特開２００１−３０１０６９号公報
【発明の開示】
【発明が解決しようとする課題】
【０００３】
しかしながら、従来のボトルネックキャリアーは、板紙を主とするシート材から形成されていて、剛性がないため、撓（たわ）み、ねじれ等の変形が起きやすく、物流の過程で連結包装されて隣接するボトル本体同志がぶつかりあって破損し易いという保持機能上の問題がある。また、このような連結包装を行うためには、ブランクからの組み立て機とそれなりの連結包装機を必要とする。前述の剛性を犠牲にすれば、簡単に破れて取り出し易くはなるが、連結包装の保持機能性を損なう結果となる。すなわち取り出し易さと保持機能性とは二律背反の関係にあり、従来のボトルネックキャリアーは、この両機能を保有する形態となっていないという問題がある。さらに、キャンペーン等でプレミアム等を添付する場合、従来では、袋に入れてシール等で貼り付ける方法、あるいは、ボトルの首部に掛ける方法等がなされており、外観上好ましいものではないという問題がある。
【０００４】
本発明は前記の問題点に鑑みてなされたもので、本発明は、剛性があって連結包装されたボトル本体の破損を極めて少なくし、着脱がきわめて容易であり、外観的にも優れ、プレミアム等を収納するスペースを有するボトルネックキャリアーを提供することを目的とするものである。
【課題を解決するための手段】
【０００５】
本発明によるボトルネックキャリアーは、２本のスクリューキャップ付きボトルを連結包装するボトルネックキャリアーであって、配列された前記スクリューキャップ付きボトルのスクリューキャップを覆う天板と、該天板の端縁から下方に向かって延設されてスクリューキャップの側面を覆う側板と、前記天板の内面から下方に向かって一定の間隔をもって延設された個々の前記スクリューキャップを嵌合する円形のキャップ保持部と、該キャップ保持部の間に設けられそれぞれ前記キャップ保持部の外側で一体となっている２枚の平行する補強板とからなり、前記キャップ保持部には、対向した位置に一対の割り込み部がそれぞれ設けられ、前記補強板の下端部には、前記補強板の間に差し込み板を差し込んで保持することができるように、差し込み部が設けられていることを特徴とするボトルネックキャリアーである。また、前記キャップ保持部の下端には、内側に向かって突出したスクリューキャップの最下部に対して嵌合する係止部が、部分的又は前円周に渡って設けられていてもよく、さらに、前記側板の一部が側板開閉部として前記側板から分断され、前記差し込み部に差し込む差し込み板とヒンジで連結され、前記天板とも折り曲げ可能なヒンジで連結されている形状とすることもできる。
【発明の効果】
【０００６】
本発明によるボトルネックキャリアーＡによれば、剛性があって連結包装されたボトル本体の破損を極めて少なく、着脱がきわめて容易である。すなわち、スクリューキャップを嵌合するキャップ保持部に一対の割り込み部を設けることにより、容易にスクリューキャップをキャップ保持部に嵌合できると共に、キャップ保持部と一体となっている補強板の下端部に設けた差し込み部に差し込み板を差し込むことにより、キャップ保持部が開かないように固定することができ、スクリューキャップがキャップ保持部から抜け出すことを防ぐことができるという機能を有する構造となっていることにより、スクリューキャップのキャップ保持部からの取り出し易さと保持機能性との二律背反の関係を解消したものとなっている。また、キャップ保持部に係止部を設けることによって、より嵌合を確実なものとしている。
【０００７】
また、本発明によるボトルネックキャリアーは、外観的にも優れ、２つのキャップ保持部の間で２つの補強板の間に物品を収納することができるスペースを有している形状となっているため、キャンペーン等においてもプレミアム等を収納することができるという効果を有している。さらに、一度使用したものを回収し、洗浄すれば、再使用が可能となるという効果もある。
【発明を実施するための最良の形態】
【０００８】
本発明を図面を用いて、更に詳しく説明する。図１は、本発明によるボトルネックキャリアーの上面図、側面図、および裏面図であり、図２は、本発明によるボトルネックキャリアーのＭ−Ｍ断面を示す断面図であり、図３は、本発明によるボトルネックキャリアーのＮ−Ｎ断面を示す断面図であり、図４は、本発明によるボトルネックキャリアーにスクリューキャップ付きボトルを嵌合した状態を示した断面図であり、図５は、本発明によるボトルネックキャリアーにスクリューキャップ付きボトルを嵌合し、差し込み板を差し込んだ状態を示した断面図であり、そして、図６は、従来のボトルネックキャリアーの一例を示す斜視図である。
【０００９】
本発明によるボトルネックキャリアーＡは、２個のスクリューキャップ付きボトルを連結包装するものであり、ボトルネックキャリアーＡの平面輪郭は、図１−ａに示すように長方形部分とその長手方向の両端部に設けられている略半円部分とからなるものである。そして、側面は、図１−ｂに示すように、スクリューキャップＫの側面を覆うに充分な大きさの長方形となっている。すなわち、配列する２個のスクリューキャップ付きボトルのスクリューキャップＫ全体を覆い、両端部に半円部分を有した一定幅を有する天板１と、該天板１の端縁から下方に向かって垂直に延設される側板２とからなり、天板１と側板２は、一体成形されていて、外観的には細長く、両端にアールのある被せ蓋のようなシンプルな外観を呈している。また、側板２を、差し込み板６（後述）と連結して開閉する側板開閉部２ａとしている。本発明によるボトルネックキャリアーＡは、天板１をベースとし、コンパクトに成形され、また天板１はあくまで平らであるため、本発明によるボトルネックキャリアーＡにより連結包装された商品を多段に、コンパクトに積み重ねることができるので、物流における容積効率を高めることができる。また側板２は略垂直面であるため、天板１、側板２にはラベル貼り、あるいは直接印刷が施しやすく、その訴求効果にも優れている。
【００１０】
天板１の裏面は、図１−ｃに示すように、垂直視によって現れる２個のキャップ保持部３、３が一定の間隔をもって設けられている。また、キャップ保持部３の平面形状は、スクリューキャップＫを嵌入するのに合わせて円形であり、平行する側板２の幅方向で対向した位置にそれぞれ一対の割り込み部３ａ、３ａを設けている。また、図２に示すように、キャップ保持部３の下端には、内側に向かって突出し、スクリューキャップＫの最下部に対して嵌合する係止部５が、前円周に渡って設けられている。この嵌合の模様は、図４に示している。この係止部５は、必ずしも全円周は必要でなく、部分的に設けてもよい。
【００１１】
また、キャップ保持部３の間には２枚の平行する補強板４、４が設けられており、この補強板４、４はそれぞれキャップ保持部３、３の外側で一体となっている。さらに、補強板４、４の下端部には、補強板４、４の間に差し込み板６を差し込んで保持することができるように、差し込み部４ａが設けられている。従って、この補強板４、４の間は、プレミアム、カード等を入れるスペースＳとして利用することができる。
【００１２】
また、この差し込み板６は側板２の一部と連結した形状であることが好ましく、この場合、図１−ｂに示すように、側板２の一部が側板開閉部２ａとして側板２から分断され、図３に示すように、天板１と折り曲げ可能なヒンジＨ１で連結され、差し込み板６とヒンジＨ２で連結された形状となっている。
【００１３】
実際に２本のスクリューキャップ付きボトルＰのスクリューキャップＫをキャップ保持部３、３に嵌入して使用する場合には、キャップ保持部３の下端には、内側に向かって突出し、スクリューキャップＫの下端部に対して嵌合する係止部５が設けられ、係止部５の内法円形は、スクリューキャップＫの外径円形よりも小さく設定されているので、スクリューキャップＫはこの係止部で強制的に嵌挿されて、図４に示すように、スクリューキャップＫのアンダーカット部に係止部５が嵌合し、スクリューキャップ付きボトルＰ全体が保持される。この時、キャップ保持部３に対向する一対の割り込み部３ａ、３ａを設けていることにより、図４に示すように、矢印の方向にキャップ保持部３が開いてスクリューキャップＫの嵌合が容易となっている。しかしながら、キャップ保持部３が開くことにより、スクリューキャップＫが嵌合しやすくなる反面抜け出し易くなっている。
【００１４】
本発明のボトルネックキャリアーＡでは、抜け出すことを防ぐために、キャップ保持部３と一体となっている補強板４の下端部に差し込み板６を差し込む差し込み部４ａを設けて、図５に示すように、この差し込み部４ａに差し込み板６を差し込むことにより、両方のキャップ保持部３、３が開かないように固定することができ、このことが、スクリューキャップＫがキャップ保持部３から抜け出すことを防ぐ構造となっている。
【００１５】
スクリューキャップ付きボトルＰのスクリューキャップＫをキャップ保持部３から取り出す場合には、補強板４の下端部に設けた差し込み部４ａから差し込み板６を抜き取ることにより、キャップ保持部３が開きやすくなり、スクリューキャップＫをキャップ保持部３から容易に取り出すことができる。
【００１６】
従って、本発明によるボトルネックキャリアーＡは、従来のものに較べて着脱が容易であり、使い勝手のよいものとなっている。本発明によるボトルネックキャリアーＡによって連結包装を行う場合は、ボトルのスクリューキャップＫ上部から本発明によるボトルネックキャリアーＡを単に被せるように強く押し込めばよく、極めて簡単な手段によってこの装着を行うことができ、手作業によって行うことも可能である。そして、購買者がボトルネックキャリアーＡからスクリューキャップ付きボトルＰを抜き取る時には、差し込み板６を抜き取ることにより、容易に取り出すことができる。
【００１７】
本発明によるボトルネックキャリアーＡは、射出成形により製造することができる。使用する材料は、主にポリプロピレン樹脂、高密度ポリエチレン樹脂、ポリエチレンテレフタレート樹脂等のポリオレフィン系樹脂等があげられる。この樹脂を使用して一体的に射出成形可能であるが、特に、ポリプロピレン樹脂が好適に使用される。
【産業上の利用可能性】
【００１８】
本発明のボトルネックキャリアーは、清涼飲料等のスクリューキャップ付きボトルを２本連結包装するために用いられるボトルネックキャリアーとして利用することができる。特に、プレミアム等の物品を添付する場合のボトルネックキャリアーとして好適に利用することができるものである。
【図面の簡単な説明】
【００１９】
【図１】本発明によるボトルネックキャリアーの上面図、側面図、および裏面図である。
【図２】本発明によるボトルネックキャリアーのＭ−Ｍ断面を示す断面図である。
【図３】本発明によるボトルネックキャリアーのＮ−Ｎ断面を示す断面図である。
【図４】本発明によるボトルネックキャリアーにスクリューキャップ付きボトルを嵌合した状態を示した断面図である。
【図５】本発明によるボトルネックキャリアーにスクリューキャップ付きボトルを嵌合し、差し込み板を差し込んだ状態を示した断面図である。
【図６】従来のボトルネックキャリアーの一例を示す斜視図である。
【符号の説明】
【００２０】
Ａ    ボトルネックキャリアー
１    天板
２    側板
２ａ  側板開閉部
３    キャップ保持部
３ａ  割り込み部
４    補強板
４ａ  差し込み部
５    係止部
６    差し込み板
Ｋ    スクリューキャップ
Ｐ    スクリューキャップ付きボトル
Ｈ１  ヒンジ
Ｈ２  ヒンジ
Ｓ    スペース
Ｚ    従来のボトルネックキャリアー
【図１】
2006321544.tif 000003
【図２】
2006321544.tif 000004
【図３】
2006321544.tif 000005
【図４】
2006321544.tif 000006
【図５】
2006321544.tif 000007
【図６】
2006321544.tif 000008